(57)【要約】【課題】  イオン交換樹脂の付着防止効果が有効で、また、付着した樹脂の剥離が十分可能なイオン交換塔の覗き窓を提供する。【解決手段】  イオン交換塔の覗き窓に使用されている透明板１の塔内側の表面２に縦方向に直線状のスリット溝３を複数設けた。【選択図】図１
2005152832.tif 000002
【特許請求の範囲】
【請求項１】
イオン交換塔の覗き窓であって、覗き窓に使用されている透明板の塔内側の表面に縦方向に直線状のスリット溝が複数設けられていることを特徴とするイオン交換塔の覗き窓。
【請求項２】
前記縦方向に直線状のスリット溝の構造は、前記透明板の横断面が塔内側の表面側にサインカーブの波型となるように設けられている請求項１に記載のイオン交換塔の覗き窓。
【請求項３】
前記縦方向に真直ぐな複数のスリット溝は、横断面が半円型のスリット溝である請求項１又は２に記載イオン交換塔の覗き窓。
【請求項４】
前記縦方向に真直ぐな複数のスリット溝は、横断面が楔型のスリット溝である請求項１又は２に記載イオン交換塔の覗き窓。
【発明の詳細な説明】
【技術分野】
【０００１】
本発明は、イオン交換塔の覗き窓に関する。
【背景技術】
【０００２】
粒状のイオン交換樹脂を充填し、被処理水を脱塩処理するイオン交換塔を運転する際には、定期的に或いは運転条件の変更の都度、塔の胴部又は頭部に設けた覗き窓を通して塔内部を覗き見て、塔内部の状態を把握する必要がある。例えば、アニオン交換樹脂とカチオン交換樹脂の双方を充填した混床式のイオン交換塔の運転では、再生工程において両イオン交換樹脂を分離した際に形成される上層のアニオン交換樹脂層と下層のカチオン交換樹脂層との界面を検知するために、界面が位置すると予想される場所に予め覗き窓を設けて、覗き窓から界面の位置を把握している。
【０００３】
イオン交換塔に設けた覗き窓には、表面が平滑な窓ガラスが固定されていたが、表面が平滑な面の窓ガラスはでは、イオン交換樹脂、特にアニオン交換樹脂、なかでも破砕されて半割状態のイオン交換樹脂が付着しやすい。このように、覗き窓に樹脂が付着するとカチオン交換樹脂層とアニオン交換樹脂層との境界面が判別しにくくなる。そこで、透明板を通して容器内部を視認し、又は容器内部の状態を検知する覗き窓としては、容器内部に面する透明板の板面が、磨りガラス状の凹凸面で型成された覗き窓が知られている。（特許文献１参照）
【０００４】
また、覗き窓を通して塔内部を撮像するＣＣＤカメラ（図示せず）を設け、ＣＣＤカメラで撮像した界面及び上面の画像を画像解析して、界面の位置を検出し、イオン交換塔を自動制御することも提案されている。（特許文献２参照）
【特許文献１】特開２０００−１５７８６０号公報
【特許文献２】特開平１０−２３５１８４
【発明の開示】
【発明が解決しようとする課題】
【０００５】
しかしながら、特許文献１に記載の磨りガラス状の凹凸面で型成された透明板を採用した覗き窓からＣＣＤカメラで撮影したイオン交換樹脂の画像を処理してカチオン交換樹脂とアニオン交換樹脂の分離界面を制御した場合に、イオン交換塔の覗き窓にイオン交換樹脂（アニオン交換樹脂）が付着し、この付着したイオン交換樹脂の位置を検知してカチオン交換樹脂層とアニオン交換樹脂層の境界面を誤判別し、真の境界面を検知できないことがあり、イオン交換樹脂の付着防止効果、及び、付着した樹脂の剥離効果がより改善された覗き窓が望まれていた。
【０００６】
解決しようとする課題は、イオン交換樹脂の付着防止効果が有効で、また、付着した樹脂の剥離が十分可能なイオン交換塔の覗き窓を提供することである。
【課題を解決するための手段】
【０００７】
上記課題を解決するために請求項１に記載の発明は、イオン交換塔の覗き窓であって、覗き窓に使用されている透明板の塔内側の表面に縦方向に直線状のスリット溝が複数設けられていることを特徴とするイオン交換塔の覗き窓である。
【０００８】
また、請求項２に記載の発明は、前記縦方向に直線状のスリット溝の構造は、前記透明板の横断面が塔内側の表面側にサインカーブの波型となるように設けられている請求項１に記載のイオン交換塔の覗き窓である。
【０００９】
また、請求項３に記載の発明は、前記縦方向に真直ぐな複数のスリット溝は、横断面が半円型のスリット溝である請求項１又は２に記載イオン交換塔の覗き窓である。
【００１０】
また、請求項４に記載の発明は、前記縦方向に真直ぐな複数のスリット溝は、横断面が楔型のスリット溝である請求項１又は２に記載イオン交換塔の覗き窓である。
【発明の効果】
【００１１】
本発明によれば、無機ガラス又は透明な合成樹脂製のイオン交換塔の覗き窓の内側（交換塔の内側）に縦方向に直線状のスリット（溝）を切ることにより付着しようとするイオン交換樹脂と覗き窓の接触面積を減少させ、且つ逆洗上昇流による引き剥がし効果を利用して、覗き窓にイオン交換樹脂が付着しないようになった。
【発明を実施するための最良の形態】
【００１２】
本発明の一実施形態について詳細に説明する。図１は、本発明の一実施形態のイオン交換塔の覗き窓の一部の拡大斜視図、図２は、本発明の他の実施形態の横断面図である。
【００１３】
図１に示す透明板１は、イオン交換塔の覗き窓に使用されている。この透明板１は、通常の無機ガラスでもよいが、アクリル樹脂など透明でかつ強度を有する合成樹脂製であってもよい。透明板１は、イオン交換塔の塔外側の表面Ａは平滑面となっていて、塔内側の表面２には、縦方向に直線状のスリット溝３が複数設けられている。また、透明板１の横断面が塔内側の表面２側にサインカーブの波型となるように設けられている。
【００１４】
上記透明板１の内側の表面２に設けた縦方向に真直ぐな複数のスリット溝３の構造を図２に示す。
【００１５】
図２の波型−１は、透明板１の内側の表面２側に、透明板１の横断面がサインカーブの波型となるように形成したもので、サインカーブの波型の寸法はピッチ０．６ｍｍ、深さ０．３ｍｍである。
【００１６】
図２の波型−２は、透明板１の内側の表面２側に、透明板１の横断面がサインカーブの波型となるようにスリット溝を形成したもので、サインカーブの波型の寸法はピッチ０．３ｍｍ、深さ０．２ｍｍである。
【００１７】
図２の楔型は、透明板１の内側の表面２側に、複数の楔型のスリット溝（Ｖ字のスリット溝）が間欠的に連続するように形成したもので、間欠的に連続する楔型のスリット溝の寸法はピッチ０．３ｍｍ、深さ０．３ｍｍである。
【００１８】
図２の半円型−１は、透明板１の内側の表面２側に、複数の半円型のスリット溝が間欠的に連続するように形成したもので、間欠的に連続する半円型のスリット溝の寸法はピッチ０．６ｍｍ、深さ０．３ｍｍである。
【００１９】
図２の半円型−２は、透明板１の内側の表面２側に、複数の半円型のスリット溝が間欠的に連続するように形成したもので、間欠的に連続する半円型のスリット溝の寸法はピッチ０．３ｍｍ、深さ０．２ｍｍである。
【００２０】
透明板１の内側の表面２に設けた縦方向に真直ぐな複数のスリット溝３の構造は、図２に示したいずれの形状でもよいが、好ましくはサインカーブの波型、半円型の曲面からなるものがよい。スリット溝３の構造は、楔型でもよいが、透明板１の内側の凸部の表面に平面部があるより、波型のように連続して曲面になっている方が、イオン交換樹脂が付着しにくい。
【００２１】
このように、透明板１の内側の表面２には縦方向に真直ぐな複数のスリット溝３が設けられていると、イオン交換樹脂と透明板１との接触面積が極めて小さくなりイオン交換樹脂の付着が生じにくい。透明板１の表面部のスリット溝３の幅は、イオン交換樹脂の直径と同程度以下とするのが好ましい。また、スリット溝３を設けることにより、イオン交換樹脂と接する透明板１の接触面積が小さくなり、付着しにくくなるが、曲面であれば点接触に近くなりより一層付着しにくい。また、破砕したイオン交換樹脂が溝内に入っても曲面であれば点接触となるので付着しにくい。
【００２２】
仮に付着しても、付着樹脂と透明板１の間に空間が存在し、そしてスリット溝が縦（上下、垂直）方向に設けられているから、水を上向流で通水することにより、付着樹脂と透明板１の間の空間に水を流すことができ、付着樹脂の裏側からの水圧で付着樹脂を離させることができる。また、この上向流通水時には同様な作用により、透明板１へのイオン交換樹脂の付着は防止される。
【産業上の利用可能性】
【００２３】
本発明は前記実施例に限定されるものではなく、特許請求の範囲に記載された本発明を逸脱することがなければ、種々の設計変更が可能であり、前記実施例に限定されないことはいうまでもない。
【図面の簡単な説明】
【００２４】
【図１】本発明の一実施形態の無機ガラス又は透明な合成樹脂製の覗き窓の一部の拡大斜視図である。
【図２】本発明の他の実施形態の横断面図である。
【符号の説明】
【００２５】
１  透明板
２  透明板の塔内側の表面
３  スリット溝
Ａ  透明板の塔外側の表面
【図１】
2005152832.tif 000003
【図２】
2005152832.tif 000004